(57)【要約】【課題】パチンコ機の釘角度を測定し、釘の角度を調整するゲージを提供する。【解決手段】板体を扇形状に形成した分度盤１の円形周面２に分度目盛３を表示する。この分度盤１には、円形周面２とは対称位置において中心目盛９０°からの延長線とは直交する方向にパチンコ機の盤面６に押し当て可能な当接面４を形成する。円形周面２と当接面４との間は釘７の長さよりも短く形成してあり、そして、当接面４に面して中心目盛９０°からの延長線上には釘測定のための基点５が表示してある。【選択図】図１
2005000686.tif 000002
【特許請求の範囲】
【請求項１】
板体を扇形状に形成し、円形周面２に分度目盛３を表示した分度盤１には、円形周面２とは対称位置において中心目盛９０°からの延長線とは直交する方向にパチンコ機の盤面６に押し当て可能な当接面４を形成し、円形周面２と当接面４間は釘７の長さよりも短く形成するとともに当接面４に面して目盛９０°からの延長線上に基点５を表示したことを特徴とするパチンコ釘角度測定ゲージ。
【発明の詳細な説明】
【技術分野】
【０００１】
本発明は、パチンコ機の盤面上に打ち込まれた多数本の釘角度を測定し、程度の角度に調整するためのパチンコ釘角度測定ゲージに関するものである。
【背景技術】
【０００２】
大衆の遊戯娯楽機として長年パチンコが楽しまれており、駅の周辺や商店街等において多数のパチンコ店が営業している。パチンコは、遊戯玉を打ち、入賞すると決められた遊戯玉が遊戯者（客）に還元され、遊戯玉の数によって商品が提供され、遊戯者に利益がもたらされるものである。
【０００３】
パチンコ機の盤面には多数本の釘が打ち込まれており、遊戯玉を一定の方向に案内をしたり、入賞口に遊戯玉を誘導するようになっている。通常、釘はパチンコ機メーカーで所定の位置に打たれた状態で出荷されるが、この時点では釘の向きは一定ではなくバラバラの状態である。
【０００４】
このため、各パチンコ店ではパチンコ機の購入後に店に方針に基づいて全ての釘の角度調整を行っている。更に、店の閉店後あるいは開店前に必要な箇所の釘の角度調整を行い、特に、入賞口に面する釘や入賞口に案内する釘の角度を調整することで各パチンコ機のその日の出球率を制御している。
【０００５】
このような釘の調整は、非常に難しく熟練を要するために通常は釘師と呼ばれる専門家によってなされている。しかし、近年、釘師の数が少なく、パチンコ店ではその確保に苦慮しているが、熟練を要することなく釘角度を測定し、調整するための角度測定具が提供されている。
例えば、本願出願人の調査によれば、特開平１０−３００４０４「パチンコ台釘角度測定器」、特開平９−１８２８３２「パチンコ機の釘角度測定装置」および特開平９−９４３２６「パチンコ機の釘角度測定冶具」等がある。
【０００６】
【特許文献１】特開平１０−３００４０４公報
【特許文献２】特開平９−１８２８３２公報
【特許文献３】特開平９−９４３２６公報
【発明の開示】
【発明が解決しようとする課題】
【０００７】
以上の各公知技術は、１°を単位として釘の角度測定が可能であり、各釘は３０°の範囲内で傾斜させることができる。しかし、限定された広さのパチンコ機盤面に多数の釘が打たれているので、釘の間隔は狭く、また、役物が配置してあり、前記した第１の公知技術における「直線辺４やこれと対抗する位置にある対偶辺６」の長さ間隔が大きく、測定すべき釘以外の釘や役物等が邪魔になって効率よく測定ができないものである。同様にして第２の公知技術では「台座７」の巾間隔が大きいとともに長さが長く、第３の公知技術では「脚部６や当接面７」の巾間隔が大きいとともに長さが長く、特定の釘角度測定には不向きなものであり、所定の角度を確保できないものであった。しかも、総じて構造が複雑であり、取り扱いが不便なものであった。
【０００８】
本発明は、上記する従来の公知技術の問題点に鑑み、熟練を要することなく短時間で簡単に釘角度を測定し、角度調整を可能としたパチンコ釘角度測定ゲージを提供することを目的とするものである。
【課題を解決するための手段】
【０００９】
上記の目的を達成するために本発明パチンコ釘角度測定ゲージは、板体を扇形状に形成し、円形周面２に分度目盛３を表示した分度盤１には、円形周面２とは対称位置において中心目盛９０°からの延長線とは直交する方向にパチンコ機の盤面６に押し当て可能な当接面４を形成し、円形周面２と当接面４間は釘７の長さよりも短く形成してある。そして、当接面４に面して目盛９０°からの延長線上に基点５が表示してある。
【発明の効果】
【００１０】
以上、説明した本発明によれば、全体形状を扇形とした分度盤１は板体で形成されているので、釘と釘や釘と役物等の狭い空間に入れて特定の釘角度の測定が可能である。
分度盤１の円形周面２と当接面４間は釘７の長さよりも短くなっているので、分度盤１の測定面と釘７の側面とを平行にすることができ、釘７の頭部８が邪魔にならず、角度測定の精度を高めることができる。
しかも、単体で片手で持ちやすく、測定操作がし易いので、角度測定を効率よく行うことが可能である。更に、熟練を要することなく釘角度の調整を行うことができ、入賞率や出玉率を制御することができる。
【発明を実施するための最良の形態】
【００１１】
以下、図面に従って本発明の実施の形態を詳細に説明する。
図１は、本発明パチンコ釘角度測定ゲージの一実施形態を示すものであり、ゲージの全体形状は、板体を扇形状に加工して分度盤１を形成したものであり、この分度盤１の円形周面２そって度数目盛３が表示してある。度数目盛３は、円形周面の中心位置を９０°とし、その両側に１°ずつの目盛を形成したものである。
【００１２】
円形周面２によって形成される仮想円盤体の中心、即ち、分度盤１の中心に対して目盛９０°からの延長線と直交する方向に当接面４を形成する。そして、円形周面２とは対称位置にある当接面４に面して目盛９０°からの延長線上に基点５を表示しておく。この当接面４は、後記するパチンコ機の盤面に押し当てる面であり、円形周面２と当接面４との間の長さ間隔あるいは巾間隔は、盤面に打ち込まれている釘の長さよりも短く形成してある。
【００１３】
本発明パチンコ釘角度測定ゲージは上記の構成であり、次に釘角度の測定について説明する。
図２に示すように、パチンコ機の盤面６に打ち込んである釘７の垂直（上下）方向の傾斜角度を測定するには、測定すべき釘７の側面に接して分度盤１を垂直に立て、当接面４を盤面６に押し当てる。この時、釘７の頭部８は、分度盤１の円形周面２よりも外側に位置し、この状態で釘７の打ち込み基部と前記基点５を合わせることで盤面６に対する釘７の傾斜角度を測定することができる。
【００１４】
図２では釘７は９０°を示しており、例えば、釘７を上方へ２°あるいは下方へ３°傾斜させたい場合には、ハンマーやペンチ等を使用して釘７の頭部８を打てばよい。分度盤１は、片手で持つことができるので、他方の手でハンマーやペンチを持ち、角度調整作業を行うことが可能である。
【００１５】
釘７の水平（左右）方向の角度測定を行う場合には、図３に示すように、分度盤１を釘７の下面に押し当てて水平状態にし、当接面４を盤面６に押し当てればよく、釘７の水平方向の傾斜角度を測定することができる。
【産業上の利用可能性】
【００１６】
本発明のパチンコ釘角度測定ゲージを使用すれば熟練を要することなく釘の角度測定および角度調整を行うことができ、各パチンコ店では店員にゲージを持たせることで出玉率を制御することができる。
【図面の簡単な説明】
【００１７】
【図１】本発明釘角度測定ゲージの一実施形態を示す斜視図である。
【図２】本発明ゲージを使用した釘の上下方向の角度測定を行う状態を示す正面図である。
【図３】本発明ゲージを使用した釘の左右方向の角度測定を行う状態を示す平面図である。
【符号の説明】
【００１８】
１  分度盤
２  円形周面
３  分度目盛
４  当接面
５  基点
６  パチンコ機盤面
７  釘
【図１】
2005000686.tif 000003
【図２】
2005000686.tif 000004
【図３】
2005000686.tif 000005